(57)【要約】【課題】組み立て時の熱交換器の取付けが容易で、手間を要しない温水利用装置を提供することを目的とする。【解決手段】水を加熱する加熱手段と、湯を貯える貯湯タンク１１と、水を送水する一次側送水手段１３を備えた一次側送水路１２と、前記水とは異なる水温の水を送水する二次側送水手段１６を備えた二次側送水路１５と、一次側送水路１２の水と二次側送水路１５の水とで互いに熱交換を行うための熱交換器１４とを備え、熱交換器１４は、装置取付用の取付金具２１を有する温水利用装置とすることにより、安価な構成で、片手で熱交換器を持ち、もう一方の手で装置取り付けようのねじを締める作業ができ、手間を要せず、短時間での取り付けが可能となる。【選択図】図１
2005127589.tif 000002
【特許請求の範囲】
【請求項１】
水を加熱する加熱手段と、湯を貯える貯湯タンクと、水を送水する一次側送水手段を備えた一次側送水路と、前記水とは異なる水温の水を送水する二次側送水手段を備えた二次側送水路と、前記一次側送水路の水と前記二次側送水路の水とで互いに熱交換を行うための熱交換器とを備え、前記熱交換器は、装置取付用の取付金具を有する温水利用装置。
【請求項２】
湯を貯える貯湯タンクを一次側送水路に有し、一次側送水路は循環路を備えた請求項１記載の温水利用装置。
【請求項３】
熱交換器は、プレート式熱交換器である請求項１または２に記載の温水利用装置。
【請求項４】
取付金具はねじを通すための穴を有するとともに、熱交換器を取り付けるための熱交換器受けを備えた請求項１〜３のいずれか１項に記載の温水利用装置。
【請求項５】
取付金具は略Ｌ字型を成す請求項１〜４のいずれか１項に記載の温水利用装置。
【請求項６】
取付金具は、略段違い棚型を成す請求項１〜４のいずれか１項に記載の温水利用装置。
【請求項７】
取付金具は、装置に引っかけられるよう折り返しを有する請求項１〜６のいずれか１項に記載の温水利用装置。
【請求項８】
取付金具は、プレート式熱交換器の各プレートをろう付けする際に同時にプレート式熱交換器にろう付けをして取り付けを行うとする請求項１〜７のいずれか１項に記載の温水利用装置。
【請求項９】
取付金具は、ろう付けによりプレート式熱交換器に取り付ける前に予めスポット溶接によって仮止めを行う請求項８に記載の温水利用装置。
【請求項１０】
取付金具の取り付け位置を決めるための位置決めを、熱交換器と取付金具に設けた請求項１〜９のいずれか１項に記載の温水利用装置。
【請求項１１】
取付金具を二つ以上設けた請求項３〜１０のいずれか１項に記載の温水利用装置。
【請求項１２】
二つ以上の取付金具は、互いに区別がつく形状をした請求項１１に記載の温水利用装置。
【発明の詳細な説明】
【技術分野】
【０００１】
本発明は、温水を利用して風呂の追焚きや暖房や乾燥を行う温水利用装置に関するものである。
【背景技術】
【０００２】
従来、この種の温水利用装置は熱交換器を装置に取り付ける際、熱交換器を指示するための別部品を用いて、装置に取り付けを行っている（例えば特許文献１参照）。
【０００３】
図５は、特許文献１に記載された従来の温水利用装置を示すものである。図５に示すように、熱交換器１と、温水利用装置に設けられ熱交換器１を置くための底板２と、熱交換器１を支持するための支持板３、ボルト４、ナット５ａ、５ｂから構成されている。
【特許文献１】特開２００１−２４８９０４号公報（図４）
【発明の開示】
【発明が解決しようとする課題】
【０００４】
しかしながら、上記従来の構成では熱交換器を湯水利用装置に固定する際に、熱交換器とは別の支持用部品を用いなければならず、組み立ての際に時間を要するという課題や、手間を要するといった課題があった。
【０００５】
本発明は、上記従来の課題を解決するもので、熱交換器を装置に取り付ける際に、手間を要せず、短時間で取り付けが可能な温水利用装置を提供することを目的とする。
【課題を解決するための手段】
【０００６】
前記従来の課題を解決するために、本発明の温水利用装置は、熱交換器に温水利用装置へ取り付けるための取付金具を一体に構成したものである。
【０００７】
これによって、片手で熱交換器を持ちもう一方の手で装置取り付けようのねじを締める作業ができ、手間を要せず、短時間での取り付けが可能となる。
【発明の効果】
【０００８】
以上のように本発明の温水利用装置は、熱交換器に温水利用装置へ取り付けるための取付金具を一体に構成したので、安価な構成で、片手で熱交換器を持ち、もう一方の手で装置取り付けようのねじを締める作業ができ、手間を要せず、短時間での取り付けが可能となる。
【０００９】
また、取付金具に位置決めを設けることで、取り付けの際に取り付け位置がずれたりしなくてすむ。
【発明を実施するための最良の形態】
【００１０】
第１の発明は、水を加熱する加熱手段と、湯を貯える貯湯タンクと、水を送水する一次側送水手段を備えた一次側送水路と、前記水とは異なる水温の水を送水する二次側送水手段を備えた二次側送水路と、前記一次側送水路の水と前記二次側送水路の水とで互いに熱交換を行うための熱交換器とを備え、前記熱交換器は、装置取付用の取付金具を有することにより、熱交換器に温水利用装置へ取り付けるための取付金具を一体に構成したので、安価な構成で、手間を要せず、短時間での取り付けが可能となる。
【００１１】
第２の発明は、湯を貯える貯湯タンクを一次側送水路に有し、一次側送水路は循環路を備えたもので、湯と水を熱交換する熱交換器を装置に取り付ける際に安価な構成で、手間を要せず、短時間での取り付けが可能となる。
【００１２】
第３の発明は、特に第１または第２の発明の熱交換器は、プレート式熱交換器であるので、熱交換器として、高い熱交換量を有しながら省スペース設置が可能となる。
【００１３】
第４の発明は、特に第１〜３のいずれか１つの発明の取付金具に、ねじを通すための穴を有するとともに、熱交換器を取り付けるための熱交換器受けを備えたので、安価な構成で、片手で熱交換器を持ちもう一方の手で装置取り付けようのねじを締める作業ができ、手間を要せず、短時間での取り付けが可能となる。
【００１４】
第５の発明は、特に第１〜４のいずれか１つの発明の取付金具は、略Ｌ字型を成しているので、安価な構成で、片手で熱交換器を持ちもう一方の手で装置取り付けようのねじを締める作業ができ、手間を要せず、短時間での取り付けが可能となる。
【００１５】
第６の発明は、特に第１〜４のいずれか１つの発明の取付金具は、略段違い棚型を成しているので、安価な構成で、片手で熱交換器を持ちもう一方の手で装置取り付けようのねじを締める作業ができ、手間を要せず、短時間での取り付けが可能となる。
【００１６】
第７の発明は、特に第１〜７のいずれか１つの発明の取付金具は、装置に引っかけられるよう折り返しを有しているので、熱交換器を装置に軽く引っかけたまま、装置取り付けようのねじを締める作業ができるので、手間を大きく減らせられる上、短時間での取り付けが可能となる。
【００１７】
第８の発明は、特に第１〜７のいずれか１つの発明の取付金具は、プレート式熱交換器の各プレートをろう付けする際に同時にプレート式熱交換器にろう付けをして取り付けを行うので、簡単にかつ無理なく取付金具を熱交換器に取り付けることができる。
【００１８】
第９の発明は、特に第８の発明の取付金具は、ろう付けによりプレート式熱交換器に取り付ける前に予めスポット溶接によって仮止めを行うので、ろう付けで取付金具を熱交換器に取り付ける最中に取り付け位置からずれるということをなくせる。
【００１９】
第１０の発明は、特に第１〜９のいずれか１つの発明の取付金具の取り付け位置を決めるための位置決めを、熱交換器と取付金具に設けているので、取付金具を熱交換器に取り付ける際に、位置がずれない。
【００２０】
第１１の発明は、特に第３〜１０のいずれか１つの発明の取付金具を二つ以上設けたので、熱交換器を装置に確実に固定することができる。
【００２１】
第１２の発明は、特に第１１の発明の二つ以上の取付金具は、互いに区別がつく形状をしているので、熱交換器を装置に取り付ける際に、誤って上下方向を間違えて取り付けるのを防いだり、取付金具を熱交換器の誤った位置に取り付けるのを防ぐことができる。
【００２２】
以下、本発明の実施の形態について図１〜図４を参照しながら説明する。なお、この実施の形態によって本発明が限定されるものではない。
【００２３】
（実施の形態１）
図１は本発明の第１の実施の形態における温水利用装置の主要部分を示す構成図である。また図２は、本発明の第１の実施の形態における温水利用装置への熱交換器の取り付け状態を示す図である。さらに図３、図４は本発明の第１の実施の形態における温水利用装置の熱交換器に取付金具を一体に備えた例を示す図である。
【００２４】
図１において、貯湯タンク１１の湯は、一次側送水路１２に備えた一次側送水手段１３によって一次側送水路１２内を送水され、この湯は熱交換器１４によって二次側送水路１５内の水を加熱する。加熱された二次側送水路１５内の水は、二次側送水路１５に設けられた二次側送水手段１６によって二次側送水路１６内を送水される。貯湯タンク１１の湯は、温度が下がると、加熱循環路１７に設けられた加熱手段１８に送水手段１９によって送水され、ここで加熱された後、再び湯として貯湯タンク１１に貯えられる。ここで、熱交換器１４には、図２のように熱交換器１４を熱交換器受け２４に取り付けるための取付金具２１が一体に備えられている。取付金具２１にはねじを通すための穴２２が設けられている。図２において温水利用装置２０は、貯湯タンク１１を覆うように構成された６枚の板金の板、つまり、左右の側板２５、２６と、底板２７と、天板２８、それに背面の背板（図示せず）と、前面の前板（図示せず）によって囲われている。これに対して熱交換器受け２４は薄く細長い板状の板金で、上下に２枚有り、この２枚の板金が、左右の側板２５、２６とそれぞれねじによって固定されている。そして熱交換器受け２４にはねじ止め用のめねじが設けられており、熱交換器１４はここにねじ止めされる。また、熱交換器１４へ湯を供給するための一次側送水路１２は、タンク上部および底部とそれぞれ接続口２９ａ、２９ｂで接続されている。
【００２５】
図３において、（ａ）はプレート式熱交換器２３の正面図、（ｂ）は同じく側面図を示す。取付金具２１はＬ字型をし、プレート熱交換器２３の側面にろう付けされている。同様に図４において（ａ）、（ｂ）はそれぞれプレート式熱交換器２３の正面図、側面図を示し、取付金具２１は段違い棚型をし、プレート熱交換器２３の底面にろう付けされている。
【００２６】
以上のように構成された温水利用装置について、以下その動作、作用を説明する。まず、貯湯タンク１１に貯えられた湯は、温度が下がると、貯湯タンク１１底部の水が加熱循環路内１７を送水手段１９によって送水され、加熱循環路１７内に設けられた加熱手段１８によって加熱され貯湯タンク１１の上部に湯として戻される。これを繰り返すことで、貯湯タンク１１には再び湯が貯えられる。
【００２７】
貯えられた湯は、必要に応じて一次側送水手段１３と二次側送水手段１６を運転させて二次側送水路１５に設けられた放熱手段（図示せず）で利用される。この時一次側循環路１２では、貯湯タンク上部から湯を取り出して熱交換器１４にて熱交換した後、熱交換によって温度が下がった湯を貯湯タンク１１の底部に戻すようにする。
【００２８】
ここで、加熱手段１８としては、石油、ガスを熱源とするボイラー湯沸かし器や、電気を熱源とするヒーター、あるいはヒートポンプ給湯機、特にＣＯ２などの自然冷媒を用いたもの、それに燃料電池やコージェネレーション装置などが挙げられる。なお、ヒーターを加熱手段１８とする場合、送水手段１９や加熱循環路１７を設けずに、ヒーターを直接貯湯タンク１１に入れる方法も可能である。
【００２９】
また、一次側送水手段１３、二次側送水手段１６、および送水手段１９の具体例としては、ポンプが挙げられる。
【００３０】
以上のようにして利用される熱交換器１４には、ねじ止め用の穴２２を備えた取付金具２１が一体に設けられており、これを熱交換器受け２４に取り付ける際には、片手で熱交換器を持ったまま、もう一方の手でねじを用意し、続けてその手でねじ締めを行うことができるため、手間が少なく、短時間で、熱交換器１４を熱交換器受け２４に固定することができる。
【００３１】
熱交換器１４に取付金具２１を一体に備える具体的な例としては、熱交換器１４が、真空炉などの炉に入れてろう付けされるプレート式熱交換器２３のような場合、予め取付金具２１を仮に固定するために所定の位置でスポット溶接で仮止めを行い、その後熱交換器１４のプレートをろう付けするのと同時に取付金具２１のろう付けを行えば、容易に取付金具２１を熱交換器１４に取り付けることができる。
【００３２】
ここで、取付金具２１と熱交換器１４との取付け位置がずれないように、位置決めとして、例えば熱交換器１４側もしくは取付金具２１側のいずれかの一部に突起を設け、もう一方の側のその突起と位置の合致する場所に、窪み、穴、もしくは切り欠きを設けて、位置が決定できるようにする方法等がある。
【００３３】
また、熱交換器１４を温水利用装置２０に確実に固定するために、取付金具２１を熱交換器１４の例えば上側と下側といった２個所に設けた場合、２つの取付金具２１の形状を区別がつくように異なるものにしておくと、熱交換器１４の取付け方向を上下逆にするなどのミスを防止することができる。例えば、取付金具２１に設けたねじ穴の位置や数を２つの取付金具２１で異なるようにするなどの方法がある。
【００３４】
さらに、熱交換器１４を熱交換器受け２４にねじ止めなどで固定作業を行う際に、取付金具２１を熱交換器受け２４に軽く引っかけられるようにすれば、より作業が楽になり、手間を減らせることができる。具体的には、取付金具２１を熱交換器１４の上下に２つ備える場合に、上側の取付金具２１の上端部を折り返しておけば、これを熱交換器受け２４に引っかけることが可能となり、引っかけた状態でねじ止めを行えば、熱交換器１４を手で保持する必要もなく楽にねじ止め作業を行うことができる。ここで、ねじを用いないで熱交換器１４を温水利用装置２０や熱交換器受け２４に取り付ける方法としては、例えば、熱交換器１４の上に設けた取付金具２０の上端部および下に設けた取付金具２０の下端部のそれぞれに折り返しを設け、これらの折り返しを、金属のばね性を利用しながら上下とも熱交換器受け２４に引っかけて固定するなどの方法がある。
【００３５】
なお、二次側送水路１５に備えられた放熱手段としては、床暖房機、浴室暖房機、ファンコンベクター、浴室乾燥機、風呂の追焚きなどが挙げられる。
【００３６】
また、熱交換器１４やプレート式熱交換器２３に取付金具２１を一体に備える例は、水−水熱交換器の場合だけではなく、水−冷媒熱交の場合にも利用できる。
【産業上の利用可能性】
【００３７】
以上のように、本発明にかかる温水利用装置は、熱交換器に温水利用装置へ取り付けるため取付金具を一体に構成したので、安価な構成で、片手で熱交換器を持ちもう一方の手で装置取り付けようのねじを締める作業ができ、手間を要せず、短時間での取り付けが可能となり、また、取付金具に位置決めを設けることで取り付けの際に取り付け位置がずれたりしなくてすむ。こうしたことから本発明は電気温水器やヒートポンプ給湯機、温水暖房装置等の用途に応用できる。
【図面の簡単な説明】
【００３８】
【図１】本発明の実施の形態１における湯水利用装置の構成図
【図２】本発明の実施の形態１における湯水利用装置に熱交換装置を取り付けた図
【図３】（ａ）本発明の実施の形態１における湯水利用装置の熱交換器に取付金具を備えた正面図（ｂ）同、湯水利用装置の熱交換器に取付金具を備えた側面図
【図４】（ａ）本発明の実施の形態１における湯水利用装置の熱交換器に取付金具を備えた正面図（ｂ）同、湯水利用装置の熱交換器に取付金具を備えた側面図
【図５】従来の湯水利用装置に熱交換器を取り付けた図
【符号の説明】
【００３９】
１１  貯湯タンク
１２  一次側送水路
１３  一次側送水手段
１４  熱交換器
１５  二次側送水路
１６  二次側送水手段
２０  温水利用装置
２１  取付金具
２２  穴
２３  プレート式熱交換器
２４  熱交換器受け
【図１】
2005127589.tif 000003
【図２】
2005127589.tif 000004
【図３】
2005127589.tif 000005
【図４】
2005127589.tif 000006
【図５】
2005127589.tif 000007